【手続補正書】
【提出日】平成17年9月28日(2005.9.28)
【手続補正１】
【補正対象書類名】明細書
【補正対象項目名】特許請求の範囲
【補正方法】変更
【補正の内容】
【特許請求の範囲】
【請求項１】  遊技媒体を用いて所定の遊技を行うことが可能であり、遊技により払出条件が成立したことにもとづいて景品としての景品遊技媒体を払い出す遊技機であって、
ＲＡＭを内蔵し、遊技の進行を制御する遊技制御手段と、
前記景品遊技媒体の払い出しを行う払出手段と、
前記払出手段を制御する払出制御手段と、
前記払出手段から払い出された景品遊技媒体を検出する払出検出手段と、
遊技機で用いられる所定の電源の状態を監視して、遊技機への電力の供給停止にかかわる検出条件が成立した場合に検出信号を出力する電源監視手段とを備え、
前記遊技制御手段は、前記払出条件の成立にもとづいて未払出景品遊技媒体数の加算処理を行うとともに、前記未払出景品遊技媒体数にもとづいて前記払出制御手段に対して景品遊技媒体の払出数を指定する払出指令信号を出力し、
前記電源監視手段からの検出信号の入力に応じて、前記ＲＡＭの記憶内容を保持させるための電源断時処理を実行し、電力供給が開始されたときに前記ＲＡＭの記憶内容にもとづいて制御状態を復旧させる復旧処理を実行し、
前記払出制御手段は、前記払出指令信号の入力にもとづいて前記払出手段を制御して前記払出指令信号が示す払出数の景品遊技媒体の払出処理を実行するとともに、
前記払出検出手段の検出信号にもとづいて、前記払出指令信号が示す払出数の景品遊技媒体が払い出されたか否かを判定する払出数判定手段と、
前記払出数判定手段により前記払出指令信号が示す払出数の景品遊技媒体が払い出されたと判定されたときに、前記払出指令信号が示す払出数の景品遊技媒体の払い出しが完了したことを示す払出完了信号を前記遊技制御手段に送信する払出完了信号送信手段とを含み、
前記遊技制御手段は、前記払出指令信号を送信したときに前記未払出景品遊技媒体数の減算処理を行う
ことを特徴とする遊技機。
【請求項２】  遊技制御手段は、払出完了信号を受信したことにもとづいて、新たに払出指令信号を送信可能である
請求項１記載の遊技機。
【請求項３】  遊技制御手段は、払出指令信号が示す払出数の景品遊技媒体の払い出しが完了するまで、払出指令信号の出力を継続する
請求項１または請求項２記載の遊技機。
【請求項４】  遊技制御手段は、電源監視手段からの検出信号の入力に応じて、検出条件が成立したことを示す供給停止検出信号を払出制御手段に対して出力する
請求項１から請求項３のうちのいずれかに記載の遊技機。
【請求項５】  電源監視手段は、遊技制御手段が設けられる遊技制御基板に搭載される
請求項４記載の遊技機。
【請求項６】  遊技制御手段は、電力供給開始時に、払出制御手段に対して、遊技制御手段の制御動作が開始したことを示す電力供給開始信号を出力する
請求項１から請求項５のうちいずれかに記載の遊技機。
【請求項７】  払出手段は、貸出要求にもとづく貸し遊技媒体を払い出す機能を有し、
前記払出手段から払い出された景品遊技媒体の検出と貸し遊技媒体の検出とが同一の払出検出手段により行われる
請求項１から請求項６のうちいずれかに記載の遊技機。
【請求項８】  払出手段が景品遊技媒体を払い出しているのか貸し遊技媒体を払い出しているのかを判定する払出種別判定手段を備え、
払出制御手段は、前記払出種別判定手段の判定にもとづいて、景品遊技媒体の払出数および貸し遊技媒体の払出数を遊技機の外部に出力する外部情報信号出力処理を実行する
請求項１から請求項７のうちいずれかに記載の遊技機。
【請求項９】  払出制御手段は、遊技媒体の払い出しを禁止する禁止条件が成立したときには、遊技媒体の払出処理を禁止する払出禁止状態に設定する処理を行うとともに、禁止条件が成立したことを示す払出禁止信号を遊技制御手段に対して出力する
請求項１から請求項８のうちいずれかに記載の遊技機。
【請求項１０】  払出制御手段は、払出禁止状態に設定した原因となった禁止条件が特定の禁止条件であったときには、所定の操作手段が操作されたことにもとづいて、払出禁止状態を解除する
請求項９記載の遊技機。
【請求項１１】  払出制御手段は、払出指令信号にもとづく景品遊技媒体の払出処理の実行中であることを示す払出処理中信号を遊技制御手段に対して出力する
請求項１から請求項１０のうちいずれかに記載の遊技機。
【手続補正２】
【補正対象書類名】明細書
【補正対象項目名】０００８
【補正方法】変更
【補正の内容】
【０００８】
【課題を解決するための手段】
本発明による遊技機は、遊技媒体を用いて所定の遊技を行うことが可能であり、遊技により払出条件（例えば、遊技領域に設けられた入賞領域への入賞があったときに成立する条件、スロットマシンにおいて予め定められた所定の表示態様での表示が表示装置になされたときに成立する条件）が成立したことにもとづいて景品としての景品遊技媒体を払い出す遊技機であって、ＲＡＭを内蔵し、遊技の進行を制御する遊技制御手段（例えばＣＰＵ５６等）と、景品遊技媒体の払い出しを行う払出手段（例えば球払出装置９７）と、払出手段を制御する払出制御手段（例えば払出制御用ＣＰＵ３７１等）と、払出手段から払い出された景品遊技媒体を検出する払出検出手段（例えば払出カウントスイッチ３０１）と、遊技機で用いられる所定の電源の状態を監視して、遊技機への電力の供給停止にかかわる検出条件が成立した場合に検出信号を出力する電源監視手段とを備え、遊技制御手段が、払出条件の成立（例えば入賞口や入賞領域への遊技球の入賞）にもとづいて未払出景品遊技媒体数の加算処理（例えばステップＳ１７５，Ｓ１８４，Ｓ１８９）を行うとともに、未払出景品遊技媒体数にもとづいて払出制御手段に対して景品遊技媒体の払出数を指定する払出指令信号（例えばＲＥＱ信号および払出個数信号）を出力し、電源監視手段からの検出信号の入力に応じて、ＲＡＭの記憶内容を保持させるための電源断時処理を実行し、電力供給が開始されたときにＲＡＭの記憶内容にもとづいて制御状態を復旧させる復旧処理を実行し、払出制御手段が、払出指令信号の入力にもとづいて払出手段を制御して払出指令信号が示す払出数の景品遊技媒体の払出処理を実行するとともに、払出検出手段の検出信号にもとづいて払出指令信号が示す払出数の景品遊技媒体が払い出されたか否かを判定する払出数判定手段（例えば払出制御手段のうちステップＳ７５３ｃ〜７５３ｅ，Ｓ５４６を実行する部分）と、払出数判定手段により払出指令信号が示す払出数の景品遊技媒体が払い出されたと判定されたときに、払出指令信号が示す払出数の景品遊技媒体の払い出しが完了したことを示す払出完了信号（例えばオフ状態のＢＵＳＹ信号）を遊技制御手段に送信する払出完了信号送信手段（例えば払出制御手段のうちＳ５４７を実行する部分）とを含み、遊技制御手段が、払出指令信号を送信したときに未払出景品遊技媒体数の減算処理（例えばステップＳ１９４，Ｓ１９６）を行うことを特徴とする。
【手続補正３】
【補正対象書類名】明細書
【補正対象項目名】００１１
【補正方法】変更
【補正の内容】
【００１１】
遊技制御手段が、電源監視手段からの検出信号（例えば電源断信号）の入力に応じて、検出条件が成立したことを示す供給停止検出信号（例えばオフ状態の電源確認信号）を払出制御手段に対して出力するように構成されていてもよい。
【手続補正４】
【補正対象書類名】明細書
【補正対象項目名】０１９０
【補正方法】変更
【補正の内容】
【０１９０】
また、例えば、未払出景品遊技媒体数の減算処理を、払出完了信号の受信にもとづいて実行すると、払出制御手段が払出指令信号にもとづいて賞球払出を開始後払出完了信号を送信する前に、不正に電力供給停止状態にした後電力供給を復旧させる状態を作成したり、遊技制御手段を不正に一旦リセットするような行為がなされた場合には、減算処理がなされていない未払出景品遊技媒体数にもとづいて二重に賞球払出を実行してしまう。
【手続補正５】
【補正対象書類名】明細書
【補正対象項目名】０２０９
【補正方法】変更
【補正の内容】
【０２０９】
【発明の効果】
以上のように、請求項１記載の発明によれば、遊技機を、払出制御手段が、払出検出手段の検出信号にもとづいて払出指令信号が示す払出数の景品遊技媒体が払い出されたか否かを判定する払出数判定手段と、払出数判定手段により払出指令信号が示す払出数の景品遊技媒体が払い出されたと判定されたときに、払出指令信号が示す払出数の景品遊技媒体の払い出しが完了したことを示す払出完了信号を遊技制御手段に送信する払出完了信号送信手段とを含み、遊技制御手段が、払出指令信号を送信したときに未払出景品遊技媒体数の減算処理を行うように構成したので、景品遊技媒体の未払出数を遊技制御手段において一元管理できるとともに、未払出数を確実に管理することができる効果がある。